(57)【要約】【課題】第１の電気線と第２の電気線との接続作業を容易に行え、またメンテナンス作業を容易に行える電子機器を提供すること。【解決手段】壁面２に固定されるインターホン本体１と、壁面２から導出された加入者線１３を挿通する穴１１を有しインターホン本体１を保持する取付部材３と、一方の面側に加入者線１３が接続される接続部を、他方の面側にインターホン本体１からの信号線９および電源線１０が接続される接続部をそれぞれ有し、かつ取付部材３に対して一端部４ａを係合部とし他端部４ｂをネジ１７による固定部とした電気線接続部材４とを備える。【選択図】  図１
2004320202.tif 000002
【特許請求の範囲】
【請求項１】
壁面に固定される電子機器本体と、前記壁面から導出された第１の電気線を挿通する穴を有し前記電子機本体を保持する取付部材と、一方の面側に前記第１の電気線が接続される接続部を、他方の面側に前記電子機器本体からの第２の電気線が接続される接続部をそれぞれ有し、かつ前記取付部材に対して一端部を係合部とし他端部を締め付け部材による固定部とした電気線接続部材とを備えたことを特徴とする電子機器。
【請求項２】
前記電子機器本体の背面側の一部に前記電気線接続部材を収容する凹部を形成したことを特徴とする請求項１記載の電子機器。
【発明の詳細な説明】
【０００１】
【発明の属する技術分野】
本発明は、インターホン、テレビドアホン、ファクシミリ等の電子機器に関するものである。
【０００２】
【従来の技術】
従来の電子機器、例えば、埋込型インターホンは、背面側に信号線および電源線を有するインターホン本体（上筐体等）と、壁面からの加入者線（ケーブル）を導出する穴を有し、かつ信号線および電源線と加入者線とが電気的に接続される接続基板ユニット（端子台等）を取り付けた取付部材（下筐体等）とを備え、壁面の内側に取付部材の主要部が位置するように、壁面に取付部材を固定し、加入者線と信号線および電源線とを接続するようにしたものが、例えば特許文献１等で知られている。
【０００３】
【特許文献１】
登録実用新案第３０３１８３４号公報（図１（ｄ）参照）
【０００４】
【発明が解決しようとする課題】
しかしながら、特許文献１の図１（ｄ）に示された従来のインターホンにおいては、接続基板ユニットの接続部に加入者線を接続する作業、さらには同じく接続基板ユニットの接続部にインターホン本体からの信号線等を接続する作業を、壁面の内側でしかも取付部材内の一部という狭い空間でもって行わなければならず、このため、その作業性が悪いという問題があった。
【０００５】
本発明は、このような従来の問題を解決するためになされたもので、接続作業を容易に行える電子機器を提供するものである。
【０００６】
【課題を解決するための手段】
本発明の電子機器は、壁面に固定される電子機器本体と、前記壁面から導出された第１の電気線を挿通する穴を有し前記電子機本体を保持する取付部材と、一方の面側に前記第１の電気線が接続される接続部を、他方の面側に前記電子機器本体からの第２の電気線が接続される接続部をそれぞれ有し、かつ前記取付部材に対して一端部を係合部とし他端部を締め付け部材による固定部とした電気線接続部材とを備えた構成を有している。
【０００７】
このような構成により、第１の電気線と電気線接続部材の接続部との接続作業が容易に行え、また取付部材から電気線接続部材を簡単に取り外すことできて、メンテナンス作業も容易に行うことができる。
【０００８】
また、本発明の電子機器は、前記電子機器本体の背面側の一部に前記電気線接続部材を収容する凹部を設けた構成を有している。
【０００９】
このような構成により、電子機器本体が壁面から突出する量を小さくできる。
【００１０】
【発明の実施形態】
以下、本発明の実施の形態について、電子機器としてインターホンの場合を例にとって、図面を用いて説明する。
【００１１】
図１に示すように、本発明の一実施形態の埋込型インターホンは、インターホン本体１と、インターホン本体１を保持して壁面２に固定する取付部材３と、取付部材３に対して一端部４ａを係合部とし、他端部４ｂを固定部とする電気線接続部材４とを備える。
【００１２】
インターホン本体１は、操作面５側に複数の操作ボタン６を、背面７側の一部に電気線接続部材４を収容する凹部８をそれぞれ有し、電気線接続部材４からの信号線９および電源線１０が接続されている。
【００１３】
取付部材３は、上部に穴１１を有しており（図２参照）、取付部材３の主要部が壁面２の内側に位置するように、上部および下部が壁面２にネジ１２にて固定されている。穴１１は、壁面２間に配設された加入者線１３からなる第１の電気線を壁面２の表面側へ導出するためのものである。
【００１４】
取付部材３の上部には、ネジ１４用のネジ受部１５が取り付けられている。
【００１５】
電気線接続部材４は、ユニット化されており、信号線９および電源線１０（第２の電気線）がそれぞれ接続される一方の面側である第１基板１６と、壁面２から導出された加入者線１３の先端部が差し込まれて接続される接続部１７を有する他方の面側である第２基板１８と、保護カバー１９とを有している。第１基板１６の下部には、ネジ２０用のネジ受部２１が取り付けられている。そして、第１基板１６および第２基板１８は保護カバー１９にネジ２０、１４にてそれぞれ固定されている。
【００１６】
また、加入者線１３の先端部が差し込まれる接続部１７の差込部は、角部をテーパ面１７ａとし、壁面２に対して非平行な面になっている。
【００１７】
インターホン本体１は取付部材３に対して引っ掛け構造（図示せず）により固定されている。
【００１８】
次に、以上のように構成された埋込型インターホンについて、インターホン本体１を壁面２に取り付ける工程等を説明する。
【００１９】
まず、図３に示すように、壁面２に取付部材３をネジ１２により固定する。この場合、加入者線１３の各先端部は、取付部材３の穴１１から引き出されて、壁面２の外部に導出されている。次に、電気線接続部材４の各接続部１７に加入者線１３の先端部を接合させた状態で、電気線接続部材４の一端部４ａを穴１１の縁部に係合させながら、電気線接続部材４を反時計方向へ回転させ、電気線接続部材４の他端部４ｂがネジ受部１５に当接するまで電気線接続部材４を回転させることにより、図４に示すように電気線接続部材４が壁面２とほぼ同一平面上に位置する状態になる。
【００２０】
次に、ネジ１４をネジ受部１５に締め付けることにより、電気線接続部材４を取付部材３に固定する。
【００２１】
その後、信号線９および電源線１０をインターホン本体１の接続部（図示せず）に接続してからインターホン本体１を取付部材３側へ移動させ、さらにインターホン本体１を取付部材３に引っ掛けることにより、インターホン本体１は図１に示すように壁面２に固定されることとなる。
【００２２】
なお、加入者線１３と電気線接続部材４または電気線接続部材４自体のメンテナンスを行う場合には、インターホン本体１を取付部材３から取り外し、信号線９および電源線１０をインターホン本体１から外すことにより、図４に示す状態となり、さらにネジ１７をネジ受部１８、１９から外すことにより、電気線接続部材４は、図３に示すように取付部材３から取り外すことができるので、メンテナンス作業を容易に行うことができる。
【００２３】
以上のように、本発明の一実施形態のインターホンによれば、壁面２に固定されるインターホン本体１と、壁面２から導出された加入者線１３を挿通する穴１１を有しインターホン本体１を保持する取付部材３と、一方の面側に加入者線１３が接続され、他方の面側にインターホン本体１からの信号線９および電源線１０が接続される電気線接続部材４とを備えているので、加入者線１３を壁面２の外部に導出させ、この外部の空間において、電気線接続部材４の接続部１７への加入者線１３の接続作業と、インターホン本体１の接続部への信号線９および電源線１０の接続作業を行え、したがって従来と異なり、その接続作業を広い空間において行え、その接続作業の作業性を従来に比して向上することができ、また電気線接続部材４が取付部材３に対して一端部４ａを係合部とし他端部４ｂをネジ１４による固定部とした構成を有しているので、壁面２への取り付けおよび取り外しを簡単に行えて、メンテナンス作業を容易に行うことができる。
【００２４】
また、インターホン本体１の背面側の一部に電気線接続部材４を収容する凹部８を形成しているので、インターホン本体１を薄型化できて、インターホンの壁面２からの突出量を小さくすることができ、商品価値を高めることができる。
【００２５】
さらに、加入者線１３の先端部が差し込まれる接続部１７の差込部の角部をテーパ面１７ａとし、壁面２に対して非平行な面にしているので、壁面２間が薄いような場合でも、加入者線１３と接続部１７との接続作業を良好に行え、またその両者の接続の信頼性も向上でき、さらに接続部１７と加入者線１３との接続空間も小さくできて、インターホン本体１を薄型化でき、インターホンの壁面２からの突出量を小さくできる。
【００２６】
なお、上記一実施形態では、インターホンの例について説明したが、本発明は壁面に取り付けて使用するテレビドアホン、フアクシミリ、空気清浄機等の電子機器についても同様に実施することができるものである。
【００２７】
また、加入者線１３、信号線９、電源線１０は、別々の線ではなく、適宜これらをまとめた接続線であってもよい。
【００２８】
【発明の効果】
以上説明したように、本発明は、第１の電気線と第２の電気線との接続作業を容易に行うことができ、またメンテナンス作業を容易に行うことのできる電子機器を提供することができるものである。
【図面の簡単な説明】
【図１】本発明の一実施の形態であるインターホンの側断面図
【図２】本発明の一実施の形態であるインターホンの取付部材を壁面に取り付けた状態を示す正面図
【図３】本発明の一実施の形態であるインターホンを壁面に取り付ける工程を説明するための図
【図４】本発明の一実施の形態であるインターホンを壁面に取り付ける工程を説明するための図
【符号の説明】
１  インターホン本体
２  壁面
３  取付部材
４  電気線接続部材
４ａ  電気線接続部材の一端部
４ｂ  電気線接続部材の他端部
８  インターホン本体の凹部
９  信号線
１０  電源線
１１  取付部材の穴
１２  ネジ
１３  加入者線
１６  第１基板
１７  接続部
１８  第２基板
【図１】
2004320202.tif 000003
【図２】
2004320202.tif 000004
【図３】
2004320202.tif 000005
【図４】
2004320202.tif 000006